【手続補正書】
【提出日】平成25年3月4日(2013.3.4)
【手続補正１】
【補正対象書類名】特許請求の範囲
【補正対象項目名】全文
【補正方法】変更
【補正の内容】
【特許請求の範囲】
【請求項１】
少なくとも１つの多環式芳香族副構造を含有する少なくとも１種の化合物を含む感光性光電子デバイスであって、該多環式芳香族副構造の環原子のうちの少なくとも２つが、それぞれ３つの環に共有され、該化合物が少なくとも１つのアルキニル基で直接的に置換された該デバイス。
【請求項２】
化合物が少なくとも２つのアルキニル基で置換された請求項１に記載のデバイスであって、該アルキニル基のうちの少なくとも２つが非隣接の置換位置に位置する該デバイス。
【請求項３】
少なくとも１つの多環式芳香族副構造が少なくとも５個の芳香族環を有する請求項１または２に記載のデバイス。
【請求項４】
少なくとも１つの多環式芳香族副構造が少なくとも６個の芳香族環を有する請求項１または２に記載のデバイス。
【請求項５】
化合物が感光性である請求項１から４のいずれかに記載のデバイス。
【請求項６】
化合物が、ハロゲン、ニトリル、および所望により置換される下記の基から成る群から選択される付加的な置換基を含有する、請求項１から５のいずれかに記載のデバイス：
アルキル、シクロアルキル、シクロアルキルアルキル、アルコキシ、シクロアルコキシ、シクロアルキルアルコキシ、アルケニル、アリール、アリオキシ(aryoxy)、アリールアルキル、ヘテロシクリル、ヘテロシクリルアルキル、ヘテロアリール、ヘテロアリールアルキル、アルコキシアルキル、シクロアルコキシアルキル、アリールオキシアルキル、ハロアルキル、トリアルキルシリル、ジアルキルアリールシリル、アルキルジアリールシリルまたはトリアリールシリル。
【請求項７】
副構造が、交互多環式ベンゼノイド芳香族環系を含有する請求項１から６のいずれかに記載のデバイス。
【請求項８】
交互多環式ベンゼノイド環系が、下記のものからなる群の１種以上から選択される副構造テンプレートを含有する請求項７に記載のデバイス：
【化１】
2012519382.tif 000001
副構造テンプレート１
【化２】
2012519382.tif 000002
副構造テンプレート２。
【請求項９】
交互多環式ベンゼノイド環系が、下記のものからなる群の１種以上から選択される請求項８に記載のデバイス：
【化３】
2012519382.tif 000003
環系１
【化４】
2012519382.tif 000004
環系２
【化５】
2012519382.tif 000005
環系３
【化６】
2012519382.tif 000006
環系４
【化７】
2012519382.tif 000007
環系５
【化８】
2012519382.tif 000008
環系６
【化９】
2012519382.tif 000009
環系７
【化１０】
2012519382.tif 000010
環系８
【請求項１０】
副構造がベンゼノイド環に加えて更なる環を含有するか、またはベンゼノイド環に代わる環を含有する請求項１から６のいずれかに記載のデバイス。
【請求項１１】
副構造が下記の構造を有する請求項１０に記載のデバイス：
【化１１】
2012519382.tif 000011
【請求項１２】
化合物が、次式で表わされる少なくとも２つのアルキニル置換基を含有する請求項１から１１のいずれかに記載のデバイス：-Ｃ≡Ｃ-Ｘ（Ｒ）ｎ
（式中、Ｘは、元素周期表のIIIａ〜VIb群から選択される原子を示し、ｎは１〜ｖ-1（ｖはＸの原子価である）の整数を示し、Ｒは、相互に独立して、水素原子、および所望により置換される下記の基から成る群から選択される基を示す：
アルキル、シクロアルキル、シクロアルキルアルキル、アリール、アリールアルキル、ヘテロシクリル、ヘテロシクリルアルキル、ヘテロアリール、ヘテロアリールアルキル、アルコキシアルキル、シクロアルコキシアルキル、アリールオキシアルキル、ハロアルキル、トリアルキルシリル、ジアルキルアリールシリル、アルキルジアリールシリルおよびトリアリールシリル）。
【請求項１３】
アルキニル置換基が次式で表わされる請求項１２に記載のデバイス：-Ｃ≡Ｃ-Ｘ（Ｒ）３（式中、ＸはＣまたはＳｉを示し、Ｒは、相互に独立して、水素原子、および所望により置換される下記の基から成る群から選択される：アルキル、シクロアルキル、シクロアルキルアルキル、アリール、アリールアルキル、ヘテロシクリル、ヘテロシクリルアルキル、ヘテロアリール、ヘテロアリールアルキル、アルコキシアルキル、シクロアルコキシアルキル、アリールオキシアルキル、ハロアルキル、トリアルキルシリル、ジアルキルアリールシリル、アルキルジアリールシリルおよびトリアリールシリル）。
【請求項１４】
化合物が下記の化合物からなる群の１種以上から選択される、請求項１から９、１２および１３のいずれかに記載のデバイス。
【化１２】
2012519382.tif 000012
化合物１
【化１３】
2012519382.tif 000013
化合物２
【化１４】
2012519382.tif 000014
化合物３
【化１５】
2012519382.tif 000015
化合物４
【化１６】
2012519382.tif 000016
化合物５
【化１７】
2012519382.tif 000017
化合物６
【化１８】
2012519382.tif 000018
化合物７
【化１９】
2012519382.tif 000019
化合物８
【化２０】
2012519382.tif 000020
化合物９
【化２１】
2012519382.tif 000021
化合物１０
【化２２】
2012519382.tif 000022
化合物１１
【化２３】
2012519382.tif 000023
化合物１２
【化２４】
2012519382.tif 000024
化合物１３
【化２５】
2012519382.tif 000025
化合物１４
【化２６】
2012519382.tif 000026
化合物１５
【化２７】
2012519382.tif 000027
化合物１６
【請求項１５】
化合物が下記の化合物である請求項１から６、１２および１３のいずれかに記載のデバイス。
【化２８】
2012519382.tif 000028
化合物１７
【請求項１６】
-Ｃ≡Ｃ-Ｘ（Ｒ）ｎで表わされるアルキニル基がルビセンの周縁炭素原子上に位置する場合、Ｘが炭素原子を示さない、請求項１２に記載のデバイス。
【請求項１７】
１つ以上の電子供与体または電子受容体を更に含有する請求項１から１６のいずれかに記載のデバイス。
【請求項１８】
化合物が、デバイスの他の成分と化学的な反応、特に炭素-炭素結合を形成する反応をおこなわない、請求項１から１７のいずれかに記載のデバイス。
【請求項１９】
デバイスがフラーレンまたはフラーレン誘導体を含む請求項１から１８のいずれかに記載のデバイス。
【請求項２０】
化合物が、フラーレンまたはフラーレン誘導体と、環化付加反応のような化学反応をおこなわない請求項１９に記載のデバイス。
【請求項２１】
デバイスが光起電性デバイスである請求項１から２０のいずれかに記載のデバイス。
【請求項２２】
デバイスが光伝導性デバイスである請求項１から２１のいずれかに記載のデバイス。
【請求項２３】
デバイスが光検出器である請求項１から２２のいずれかに記載のデバイス。
【請求項２４】
１対の電極と、該電極間に配置された１以上の半導体層を更に具備する請求項２１から２３のいずれかに記載のデバイスであって、
該層のうちの少なくとも１層が、請求項１から１７のいずれかにおいて定義される少なくとも１種の化合物を含有する、該デバイス。
【請求項２５】
少なくとも２つの半導体層が電極間に配置された請求項２４に記載のデバイスであって、該層がヘテロ接合を形成すると共に、該層のうちの少なくとも１層が、請求項１から２０のいずれかにおいて定義される化合物を含む感光性半導体を含有する該デバイス。
【請求項２６】
少なくとも２つの層の各々が、請求項１から２０のいずれかにおいて定義される化合物を含む、請求項２５に記載のデバイス。
【請求項２７】
デバイスの他の層が電子受容性フラーレン誘導体層であると共に、化合物が、該フラーレン誘導体と化学的に反応しない電子供与性化合物である、請求項２４から２６のいずれかに記載のデバイス。
【請求項２８】
半導体層または複数の半導体層のうちの少なくとも１層が、請求項１から２０のいずれかにおいて定義される化合物および別の有機半導体との混合物またはブレンドを含む、請求項２４から２７のいずれかに記載のデバイス。
【請求項２９】
混合物またはブレンドが、電子受容性フラーレン誘導体と、該フラーレン誘導体と化学的に反応しない電子供与性化合物とを含む請求項２８に記載のデバイス。
【請求項３０】
請求項１８から２１またはこれらに従属する請求項２４から２９のいずれかに記載のデバイスの太陽光発電における使用。